(57)【要約】【課題】  従来の鈴では、直接振動する鈴本体（１−１）がむき出しになっているため、外部からの接触によって、音がなるための鈴の振動部の振動が阻害されやすかった。【解決手段】  鈴本体（１−１）に保護カバー（２）を取り付けることで、接触物による鈴本体（１−１）の振動の減衰を防いだ。もちろん、保護カバー（２）と鈴本体（１−１）との間に鈴本体（１−１）振動時においても非接触の空間部（５）を有しているようにすることで、振動の減衰を最も減らすことができる。【選択図】  図２
2008009123.tif 000002
【特許請求の範囲】
【請求項１】
保護カバーを設けたことを特徴とする鈴
【請求項２】
保護カバーと鈴本体との間に鈴本体振動時においても非接触の空間部を有していることを特徴とする鈴
【請求項３】
保護カバー本体部に空孔部を設けたことを特徴とする請求項１または２に記載の鈴
【請求項４】
保護カバーが樹脂性素材である請求項１、２または３に記載の鈴
【請求項５】
請求項１，２，３または４の鈴からなることを特徴とする卓上呼び鈴
【請求項６】
卓上設置時に保護カバーにより支持設置されることを特徴とする請求項５に記載の卓上呼び鈴
【請求項７】
介護用に用いる請求項５または６に記載の卓上呼び鈴
【請求項８】
請求項１，２，３または４の鈴からなることを特徴とするドア取り付け用呼び鈴
【請求項９】
請求項１，２，３または４の鈴からなる飼育動物用ベル
【請求項１０】
請求項1、２、３または４の鈴からなることを特徴とする仏鈴
【発明の詳細な説明】
【技術分野】
【０００１】
振り子（１−２）を振らせ、鈴本体を振動させて、人に注意を促すための用いるための鈴に関する。
【背景技術】
【０００２】
従来の鈴や呼び鈴は、図１のＡ、Ｂのように棒状のもち手（３）や紐（４）などをもって、振り子（１−２）を振らせて、呼び鈴本体（１−１）を振動させるものである。
【０００３】
卓上の呼びベルではないが、実開平０５−０８８３１６にみられるように杖の中に仕込んで周りの人に注意を促したり、居場所を知らせたりする考案がある。また、鈴の振り子打球部を鉄などの磁性吸着性を有するものとして、不使用時に磁性体の袋にしまうことで、音がしなくなるように工夫したものがある。
【０００４】
工芸品として、実用新案登録３０２７５３８号にみられる繭玉に鈴を仕込んで楽しめる鳴り物が考案されている。
【０００５】
一方では、本発明に属さないが、特開２００４−２４６８４６号にみられるように実際のベル音をキーホルダーとして、電気的にベル音を発生させる電子ベルキーホルダーが提案されている
【０００６】
【特許文献１】実開平０５−０８８３１６号
【特許文献２】実用新案登録第３０２７５３８号
【特許文献３】特開２００４−２４６８４６号
【発明の開示】
【発明が解決しようとする課題】
【０００７】
しかしながら、従来の鈴では、直接振動する鈴本体（１−１）がむき出しになっているため、外部からの接触によって、音がなるための鈴の振動部の振動が阻害されやすかった。
【０００８】
また、鈴本体（１−１）が金属などの硬質材料で出来ているために、床に落としたりあるいは衣服などに接触した際に傷がついたりして危険であり、安全性に問題があった。
【０００９】
加えて、鈴本体（１−１）が金属である場合が多く、鈴本体（１−１）が酸化して、薄汚くなるといったデザイン的劣化も見られていた。
【００１０】
前記鈴の問題とされていた「接触物による「振動」の減衰を少なくする」こと。加えて「安全性」が高く、「デザイン的劣化」を防ぐことが本発明の課題である。
【課題を解決するための手段】
【００１１】
鈴本体（１−１）に保護カバー（２）を取り付けることで、接触物による鈴本体（１−１）の振動の減衰を防いだ。
もちろん、保護カバー（２）と鈴本体（１−１）との間に鈴本体（１−１）振動時においても非接触の空間部を有しているようにすることで、振動の減衰を最も減らすことができる。
【００１２】
一方では、保護カバー（２）により、音がこもりやすくなる。これを改善するため、さらに、保護カバー本体部（２−１）に空孔部（２−２）を設けることで、音がこもることなく、大きい音量で長く響かせることが可能となった。
【００１３】
保護カバー（２）を樹脂性素材とすることで、柔らかく弾性力を有することで、外部からの接触による不具合を解消することができる。
【００１４】
卓上呼び鈴に前記発明の鈴を用いることで、卓上呼び鈴での不具合を解消することが出来る。
【００１５】
卓上呼び鈴においては、通常、卓上設置時には、鈴本体（１−１）が卓上に置かれることで、振動が止められ、音がしなくなる。しかしながら、図５のように、卓上設置時に保護カバーにより支持設置することで卓上呼び鈴を卓上に置いても振動を疎外されないようにできる。
【００１６】
ドア取り付け用呼び鈴においては、通常、ドアの開閉による揺れや呼び鈴同士のぶつかりあいによって、音がなる。場合によっては、ドアと直接ぶつかる場合も多く、鈴やドアが、そのときの衝撃により傷みやすい。本発明の鈴を用いることで、音の減衰が少なく、傷みが少なくすむ。
【００１７】
飼育動物用ベルにおいては、同様に、ベルのデザイン性や場合によっては、金属アレルギーのある動物などの弊害を本発明の鈴を用いることで解消できる。
【発明の効果】
【００１８】
従来にない保護カバー（２）を設けることにより、「接触物による振動の減衰」を防ぐことができ、大きな音で長く響かせることが可能となった。同時に安全性を高めることが出来る。また、金属酸化などによる、「デザイン的劣化」を防ぐことができた。むしろ、デザイン的面で考えると、保護カバー（２）本体の意匠が本発明の鈴の意匠の主な部分を占める。そのため、従来鳴り物として、デザイン的に制限があった鈴とことなり、さまざまなバリエーションのデザインが可能となる。
【００１９】
保護カバー本体部（２−１）に空孔部（２−２）を設けることで、音のこもりを防ぐことができる。また、その空孔部（２−２）の場所は任意に選べるために、好きな方向に、指向性を持たせた従来にない鈴が可能である。
【００２０】
保護カバー（２）を樹脂性素材とすることで、柔らかく装身具やバッグなどに接触するために、接触部分が傷むといった弊害をなくすことができる。加えて、樹脂性素材を使用することで、従来にない質感や色彩を選択でき、デザイン的にもさまざまなバリエーションを広げることができる。
【００２１】
従来衣服の下に鈴をつけるといったことは、音がならないためできなかった。しかし、本発明によれば、保護カバー（２）で、鈴本体（１−１）の振動の減衰を防ぐ空間部を確保することができるため、可能となった。
【００２２】
卓上呼び鈴においては、従来は支持棒（３）や紐（４）を手に持って振り子（１−２）を振らせて音を出していた。本発明の構成にすることで、保護カバー（２）を直接手で握って、振り子（１−２）をふらせて音を出すことができる。
【００２３】
また、卓上呼び鈴で、卓上設置時に保護カバー（２）により支持設置されると、音の減衰をすることなく設置できる。そのため、長く音を響かせることができる。
【００２４】
介護用に用いると、この本発明の鈴による卓上呼び鈴は絶大な効果を発揮する。例えば、緊急を要する患者や被介護人本人が自身の異常を感じ、介護をする人を呼ぶ場合。直接卓上呼び鈴を握って音を出すことができるために、緊急時であってもスムーズに大きな音量を出すことができる。もちろん、最近は電子的呼びベルなどが、主流であるが、シンプルな音をだす構成は、停電時や電池切れなどといった電気的障害にも極めて強いため、安全性が高い。
【実施例１】
【００２５】
図１で説明する。図１は縦断面図である。鈴本体（１−１）、振り子（１−２）は真鍮製である。振り子支持部（１−３）は真鍮線からなり、振り子（１−２）と鈴本体（１−１）とを結ぶために両端部がリング状に形成されている。保護カバー（２）は樹脂性素材であるポリカーボネイトから出来ている。保護カバーが鈴本体（１−１）から着脱可能であると便利である。保護カバー（２）と鈴本体（１−１）の間に空間部（５）を有することで振動が減衰することなく音の響きが維持される。
【００２６】
保護カバー（２）は樹脂性素材を用いたほうが前述の効果や利便性があって便利であるが、必ずしも樹脂性素材である必要性はない。
【実施例２】
【００２７】
図３のように保護カバー（２）に空孔部（５）を設けることは、音がこもらなくて効率的である。
この空孔部は必ずしも閉じたものである必要はなく、図４のようにスリット状に空孔部（２-２）が形成されてもよく、保護カバー（２）から音がぬける構成であればよい。
【実施例３】
【００２８】
図５のように保護カバー（２）本体の下部方向に開放部がなく、閉じた保護カバー（２）に空孔部（５）がある形態であっても良い。
【実施例４】
【００２９】
介護用の卓上呼びりんとして、本発明の鈴を利用したものであってもよい。この場合、必ずしも卓上に置いて置く必要性はなく、場合によっては、ベッドの一部に吊るしてもよい。移動時に携帯してもよい。また、徘徊癖のある被介護者に附帯させておけば、移動時に居場所を知らせてくれて、便利である。
【実施例５】
【００３０】
ドアの取り付け用呼び鈴に本発明の鈴を用いる実施方法もある。
ドアの取り付け用呼び鈴においては、本発明の鈴を用いることで、音の減衰が少なく、傷みが少なくすむ。もちろんデザイン性を重視した製品開発の幅が広がる。
【実施例６】
【００３１】
飼育動物用ベルとして、本発明の鈴を用いる実施方法もある。
カウベルなどに、もちいても良い。また、猫や犬などの首輪に取り付けて方法もある。
保護カバーにより、直接、動物に接触することを防ぐことで、金属アレルギーを有するペットなどの飼育動物にも附帯させることができる。また、樹脂性素材の保護カバーにより、安全性とデザインの多様性を向上させることができる。
【実施例７】
【００３２】
仏壇など宗教用具で使う仏鈴の鈴として本発明の鈴を用いる実施方法もある。
仏壇の色調に合わせてさまざまなデザインが楽しめる。また、保護カバーにより、地震やなにかの衝撃で、周りの仏壇や仏具に傷をつけるといった衝撃を干渉することができる。
振り子をつけて振って、鳴らしてもよいし、また、鈴本体を直接叩けるように工夫して、直接鈴棒などで叩けるように工夫したものでもよい。
【図面の簡単な説明】
【００３３】
【図１】従来の鈴、呼び鈴を表すフリーハンド図である。
【図２】本発明の鈴を示す縦断面図のフリーハンド図である。
【図３】本発明の実施形態を示すフリーハンド図である。
【図４】本発明の実施形態を示すフリーハンド図である。
【図５】本発明の実施形態を示すフリーハンド図である。
【符号の説明】
【００３４】
１        鈴
１−１    鈴本体
１−２    振り子
１−３    振り子支持部
２        保護カバー
２−１    保護カバー本体部
２−２    空孔部
３        棒状のもち手
４        紐
５        空間部
【図１】
2008009123.tif 000003
【図２】
2008009123.tif 000004
【図３】
2008009123.tif 000005
【図４】
2008009123.tif 000006
【図５】
2008009123.tif 000007